(57)【特許請求の範囲】
【請求項１】
間仕切パネル同士及び間仕切パネルとコーナー支柱とを適宜連結して間仕切装置を構築するために用いる連結金具を、連結に供しない時に間仕切パネルの内部に一時的に保持することが可能な間仕切パネルにおける連結金具収納装置であって、前記間仕切パネルの両側端面と前記コーナー支柱の少なくとも二側面の各連結面には、それぞれ実質的に同一構造の連結溝を上下方向に形成し、前記間仕切パネルの上端に設けた中空の笠木部材の両端部上面には開口部を形成するとともに、該開口部には着脱可能に端部カバーを装着し、前記連結金具は、一方の連結面の連結溝に上下スライド可能に係合する係合片を嵌合板の両側に有する第１の金具と、他方の連結面の連結溝に上下スライド可能に係合する係合片を嵌合板の両側に有する第２の金具とからなり、前記端部カバーの下面で内方側端部寄り位置に、前記第１の金具と第２の金具を重ねた状態で、両係合片をスライド係合させて保持する二対の断面略Ｌ字形の保持片を、先端を対向させて下設するとともに、端部には前記第１の金具と第２の金具を当止する当止部を形成し、更に中央寄り位置に第１の金具と第２の金具の戻り止めのためのストッパー手段として、一対の弾性的な当止爪を前記両嵌合板の端部に当止するように設け、該端部カバーの下面に前記第１の金具と第２の金具を保持した状態で前記開口部に装着することを特徴とする間仕切パネルにおける連結金具収納装置。
【請求項２】
前記間仕切パネルとコーナー支柱の連結面には、両側部に連結溝を形成するとともに、両連結溝の間には外側へ断面が等脚台形状に膨出させて連結板を形成し、前記第１の金具と第２の金具には、前記連結板の外面に沿う前記嵌合板の両側に、前記連結溝に側方への抜止め状態で上下スライド係合する係合片を、嵌合板との間に段部を設けて形成したものであり、前記第１の金具と第２の金具の両嵌合板を接合し、両係合片を外側へ張り出させた状態で、両係合片を保持すべく少なくとも一対の断面略Ｌ字形の保持片を、先端を対向させて端部カバーの下面に下設してなる請求項１記載の間仕切パネルにおける連結金具収納装置。
【発明の詳細な説明】
【技術分野】
【０００１】
本発明は、間仕切パネルにおける連結金具収納装置に係わり、更に詳しくは間仕切パネルの連結に用いる連結金具を搬送時等に一時的に保管収納する機能を備えた間仕切パネルにおける連結金具収納装置に関するものである。
【背景技術】
【０００２】
従来から、ロータイプの複数の間仕切パネル同士を直線状に連結したり、コーナー支柱を介してＬ字状、Ｔ字状、十文字状に連結して所望の間仕切り形態を構築する間仕切装置は各種提供されている。ここで、間仕切パネル同士の連結、あるいは間仕切パネルとコーナー支柱との連結のために各種の連結構造が採用されている。通常、連結金具等の付属品は合成樹脂製の収納袋に入れられて管理され、出荷搬送時には間仕切パネルあるいはコーナー支柱に同梱される。
【０００３】
このように、連結金具等の付属品は連結することを前提に、必ずセットとして間仕切パネルあるいはコーナー支柱に同梱されるが、間仕切装置の組立態様や使用態様によっては連結金具等の部品が余ったり、また後日拡張、態様を変更したりする場合には連結金具等の部品が必要になるなどの過不足が発生する。
【０００４】
間仕切パネルあるいはコーナー支柱と連結金具等の付属品を別々に管理するのは手間であり、管理コストが嵩み、また梱包時にはパネル等との接触により傷付けないように工夫する必要があり、梱包費用も嵩むことになる。更に、間仕切装置の施工後に、組立態様又は使用態様によっては余分となった付属品を前記収納袋に入れたまま、または付属品だけを別の個所に保存する場合には、その保管場所が別途必要となるとともに、組立態様等を変更する場合に、前記付属品の保管場所を忘れたり、部品を紛失してしまうという問題があった。
【先行技術文献】
【特許文献】
【０００５】
【特許文献１】特許第３０４０９４０号公報
【特許文献２】特許第３３４９０３０号公報
【発明の概要】
【発明が解決しようとする課題】
【０００６】
そこで、本発明が前述の状況に鑑み、解決しようとするところは、間仕切パネルを連結するために用いる連結金具を間仕切パネル自体に収納できるようにして、梱包のコストを大幅に低減することができるとともに、組立態様又は使用態様によっては余分となった連結金具を施工した間仕切パネル自体に保管することにより、別途の保管場所を要せず、且つ部品の紛失事故も無くすることができる間仕切パネルにおける連結金具収納装置を提供する点にある。
【課題を解決するための手段】
【０００７】
本発明は、前述の課題解決のために、間仕切パネル同士及び間仕切パネルとコーナー支柱とを適宜連結して間仕切装置を構築するために用いる連結金具を、連結に供しない時に間仕切パネルの内部に一時的に保持することが可能な間仕切パネルにおける連結金具収納装置であって、前記間仕切パネルの両側端面と前記コーナー支柱の少なくとも二側面の各連結面には、それぞれ実質的に同一構造の連結溝を上下方向に形成し、前記間仕切パネルの上端に設けた中空の笠木部材の両端部上面には開口部を形成するとともに、該開口部には着脱可能に端部カバーを装着し、前記連結金具は、一方の連結面の連結溝に上下スライド可能に係合する係合片を嵌合板の両側に有する第１の金具と、他方の連結面の連結溝に上下スライド可能に係合する係合片を嵌合板の両側に有する第２の金具とからなり、前記端部カバーの下面で内方側端部寄り位置に、前記第１の金具と第２の金具を重ねた状態で、両係合片をスライド係合させて保持する二対の断面略Ｌ字形の保持片を、先端を対向させて下設するとともに、端部には前記第１の金具と第２の金具を当止する当止部を形成し、更に中央寄り位置に第１の金具と第２の金具の戻り止めのためのストッパー手段として、一対の弾性的な当止爪を前記両嵌合板の端部に当止するように設け、該端部カバーの下面に前記第１の金具と第２の金具を保持した状態で前記開口部に装着することを特徴とする間仕切パネルにおける連結金具収納装置を構成した（請求項１）。
【０００８】
ここで、前記間仕切パネルとコーナー支柱の連結面には、両側部に連結溝を形成するとともに、両連結溝の間には外側へ断面が等脚台形状に膨出させて連結板を形成し、前記第１の金具と第２の金具には、前記連結板の外面に沿う前記嵌合板の両側に、前記連結溝に側方への抜止め状態で上下スライド係合する係合片を、嵌合板との間に段部を設けて形成したものであり、前記第１の金具と第２の金具の両嵌合板を接合し、両係合片を外側へ張り出させた状態で、両係合片を保持すべく少なくとも一対の断面略Ｌ字形の保持片を、先端を対向させて端部カバーの下面に下設してなることが好ましい（請求項２）。
【発明の効果】
【０００９】
以上にしてなる請求項１に係る発明の間仕切パネルにおける連結金具収納装置によれば、第１の金具と第２の金具からなる連結金具を重ねた状態で、両係合片を端部カバーの下面に下設した二対の断面略Ｌ字形の保持片で同時に安定に保持することができ、また第１の金具と第２の金具を重ねた状態で両係合片を中央部側から保持片の間にスライド係合させ、端部に設けた当止部に当止するまで係合させると同時に、一対の弾性的な当止爪からなるストッパー手段によって戻り止めがなされ、もって連結金具を端部カバーに簡単且つ確実に保持することができ、その状態で端部カバーを間仕切パネルの上端に設けた中空の笠木部材の両端部上面に設けた開口部に装着することにより、連結金具を笠木部材の内部に吊り下げ状態で保管することができ、それにより梱包のコストを大幅に低減することができるとともに、組立態様又は使用態様によっては余分となった連結金具を施工した間仕切パネル自体に保管することにより、別途の保管場所を要せず、且つ部品の紛失事故も無くすることができるのである。また、間仕切パネルの搬送時の振動に対しても、連結金具が端部カバーから脱落することがなく、仮に脱落しても笠木部材の内部に留まるので紛失の恐れはないのである。
【００１０】
請求項２によれば、第１の金具と第２の金具には、嵌合板の両側に係合片を、嵌合板との間に段部を設けて形成したので、この第１の金具と第２の金具の両嵌合板を接合し、両係合片を外側へ張り出させた状態で、両係合片を端部カバーの下面に下設した少なくとも一対の保持片で同時に保持することができ、しかも前記段部が保持片の内面に接触するとともに、嵌合板の側面がそれぞれ保持片の先端に接触するようにできるので、連結金具を上下左右に変位することなく確実に保持することができる。
【図面の簡単な説明】
【００１１】
【図１】本発明に係る間仕切パネルの全体斜視図である。
【図２】同じく間仕切パネルの一部破断した正面図である。
【図３】間仕切パネルの上部構造を示す部分分解斜視図である。
【図４】間仕切パネルとコーナー支柱の下部連結構造を示す部分分解斜視図である。
【図５】間仕切パネルとコーナー支柱とを連結した状態の下部の部分縦断正面図である。
【図６】コーナー支柱を介して平面視Ｔ字形に間仕切パネルを連結した状態の横断平面図である。
【図７】間仕切パネルとコーナー支柱とを連結した状態の上部の部分縦断正面図である。
【図８】端部カバーの平面図と部分断面図である。
【図９】端部カバーに下部連結金具とキャップを保持する状態を示した分解斜視図である。
【図１０】同じく端部カバーに下部連結金具とキャップを保持した状態を示し、（ａ）は斜視図、（ｂ）は（ａ）のＸ−Ｘ線断面図である。
【図１１】端部カバーに下部連結金具を保持する他の実施形態を示し、（ａ）は端部カバーに下部連結金具とキャップを保持する状態の分解斜視図、（ｂ）は端部カバーに下部連結金具とキャップを保持した状態の斜視図である。
【発明を実施するための形態】
【００１２】
次に、添付図面に示した実施形態に基づき、本発明を更に詳細に説明する。図１〜図３は本発明に係る間仕切パネルを示し、図４〜図６は下部連結構造、図７は上部連結構造、図８〜図１０は本発明に係る連結金具収納装置の要部を示し、図中符号１は間仕切パネル、２はコーナー支柱、３は端部カバー、４は下部連結金具、５は上部連結金具、６はキャップをそれぞれ示している。
【００１３】
本発明は、間仕切パネル１，１同士の連結と間仕切パネル１とコーナー支柱２との連結に、共通の下部連結金具４と上部連結金具５を用いて連結し、各種形態の間仕切装置を構築できるものであり、少なくとも下部連結金具４を、前記間仕切パネル１の保管・搬送時に、あるいは余分となった場合に、間仕切パネル１の内部、特に上部両端部に着脱可能に設けた端部カバー３の内側に保持することができるようにしたことを特徴としている。
【００１４】
前記間仕切パネル１は、図１〜図３に示すように、ハニカム材（図示せず）の表裏両面にパネル板７，７を接着材にて接着するとともに、両側縁にアルミ押出し型材からなる縦フレーム部材８，８を取付け、上縁に同じくアルミ押出し型材からなる笠木部材９を取付け、下縁にスチール板で折曲形成した下方開放の断面略コ字形の巾木部材１０を取付けた構造である。
【００１５】
前記縦フレーム部材８は、図１〜図６に示すように、構造材としての強度を備えた筒部１１の外側両側縁に前記パネル板７の側縁を保持する係合溝１２，１２を形成し、また外側端面側の両側部であって前記係合溝１２，１２の内側位置に、連結用の連結溝１３，１３を形成するとともに、両連結溝１３，１３の間には前記筒部１１を構成する壁面を外側へ断面が等脚台形状に膨出させて連結板１４を形成したものである。前記筒部１１には内壁と中間壁とに補強を兼ねたねじ取付用の断面Ｃ字状のリブ１５，１５を形成している。また、前記縦フレーム部材８の外側端面側の両側部には、間仕切パネル１，１同士又はコーナー支柱２へ接合するための接合板１６，１６を有し、一方の接合板１６、本実施形態では向かって右側の接合板１６に突条１７を形成し、他方の接合板１６、本実施形態では向かって左側の接合板１６には前記突条１７と係合関係にある溝条１８を形成している。ここで、前記接合板１６は、前記係合溝１２の一部を構成し、また該接合板１６の内縁に前記連結板１４へ向けて内側へ傾斜状に延設した係止片１９，１９が、前記係合溝１２，１２の一部を構成している。尚、前記連結板１４の外面は、前記接合板１６，１６の外面よりも内側に位置している。
【００１６】
また、前記両縦フレーム部材８，８の上端部間に連結する笠木部材９は、図１〜図３に示すように、断面が略四角形の筒部２０の上側両側縁に前記パネル板７の上縁を保持する係合溝２１，２１を形成するとともに、上面板２２の両端部に上部連結金具５の装着用の開口部２３を形成し、該開口部２３には着脱可能に合成樹脂製の端部カバー３を取付けるようにしている。前記笠木部材９を前記縦フレーム部材８に連結するには、前記縦フレーム部材８の筒部１１の上端部を切欠して段部２４を形成し、前記笠木部材９の筒部２０の底面板２５の端部を前記段部２４に接合し、該底面板２５に穿設した通孔２６，２６に挿通したネジ２７，２７を前記縦フレーム部材８のリブ１５，１５に螺合する。
【００１７】
ここで、前記縦フレーム部材８の連結板１４の上端部を切欠して、前記笠木部材９の筒部２０内に連通する連結用開口２８を形成している。そして、前記連結用開口２８には、キャップ６を着脱可能に取付けるようになっている。前記キャップ６には、前記連結用開口２８を埋めるカバー部２９と、該カバー部２９の内面側周囲に突設した鍔部３０とを有している。そして、前記キャップ６の両側の鍔部３０，３０を、前記縦フレーム部材８の断面等脚台形状の連結板１４の下底部分に対向突設した縦リブ３１，３１と斜辺部分で形成された溝部に上方からスライド係合させて装着する。
【００１８】
また、前記巾木部材１０は、図２、図５及び図６に示すように、下方開放した断面略コ字形の部材であり、上面の中央部に断面コ字形の凸部３２を形成し、前記両パネル板７，７の下端間に形成された凹部に嵌合し、上面両端部の一部に形成した切欠部３３内に前記縦フレーム部材８の筒部１１を受け入れ、両端部下面にアジャスター受け３４を取付けることによって、前記筒部１１の下端にネジ止め連結している。尚、図中符号３５は、下端に接地部を有するアジャスターボルトである。前記巾木部材１０の下端両側に内向き折曲形成した下板３６，３６を有し、前記アジャスター受け３４には、両下板３６，３６の下面に当接する基板３７の両側に、両下板３６，３６に形成したスリット孔３８に係合する爪片３９，３９を上向きに形成するとともに、内側端に両下板３６，３６間に嵌る当止片４０を立上げ、更に外側端の両側に前記縦フレーム部材８の両連結溝１３，１３の下端に係合する突片４１，４１を立上げている。そして、前記アジャスター受け３４の基板３７を前記巾木部材１０の下面両端部に接合した状態で、該基板３７に形成した通孔４２に下方から挿通したネジ４３を前記縦フレーム部材８の内側のリブ１５に螺合して連結する。ここで、前記突片４１，４１は、前記縦フレーム部材８と巾木部材１０との連結強度を高める目的以外にも、後述の下部連結金具４の脱落を規制するためのストッパーの機能をも備えている。尚、前記縦フレーム部材８の連結板１４の下端は、前記アジャスター受け３４を取付けても下方に露出している。
【００１９】
次に、前記コーナー支柱２は、図４〜図６に示すように、アルミ押出し型材からなる周囲４面が連結面となった断面略正方形の部材であり、構造材としての強度を備えた筒状本体部４４の四隅に矢印状の係合部４５，…を一体形成し、各連結面に前記縦フレーム部材８の連結溝１３，１３及び連結板１４と同様な連結溝４６，４６と連結板４７を形成している。更に、前記コーナー支柱２の各連結面には、前記縦フレーム部材８の接合板１６，１６と同様な接合板４８，４８を有し、一方の接合板４８、本実施形態では向かって右側の接合板４８に前記縦フレーム部材８の突条１７と同様な突条４９を形成し、他方の接合板４８、本実施形態では向かって左側の接合板４８には前記縦フレーム部材８の溝条１８と同様な溝条５０を形成している。
【００２０】
そして、前記コーナー支柱２の下端には、アジャスター受け５１を嵌着し、該アジャスター受け５１に、下端に接地部を有するアジャスターボルト５２を螺合して高さ調節可能となしている。前記アジャスター受け５１は、前記コーナー支柱２の筒状本体部４４の四隅部に接合する平面視十文字状の基板５３の４つの端部に、前記連結溝４６，…に嵌合する８つの突片５４，…を立上げ、基板５３の一方の対角線上の２箇所に形成した通孔５５，５５に下方から挿入したネジ５６，５６を前記コーナー支柱２の筒状本体部４４の二つの角部に形成した断面略Ｃ字形のリブ５７，５７に螺合して取付ける。この場合も、前記突片５４は、各連結溝４６の下端を塞ぎ、後述の下部連結金具４の脱落を規制するためのストッパーの機能をも備えている。尚、前記コーナー支柱２の連結板４７の下端は、前記アジャスター受け５１を取付けても下方に露出している。
【００２１】
次に、前記下部連結金具４を用いた連結構造を、図４〜図６に基づいて説明する。図示した実施形態は、前記間仕切パネル１とコーナー支柱２を連結する構造であるが、前記間仕切パネル１，１同士を連結する場合も同様である。前記下部連結金具４は、受け金具４Ａ（本発明の第１の金具）と上り防止金具４Ｂ（本発明の第２の金具）とから構成されている。前記受け金具４Ａは、前記間仕切パネル１の縦フレーム部材８の連結板１４又は前記コーナー支柱２の連結板４７の外面に沿う嵌合板５８の両側に、前記縦フレーム部材８の両連結溝１３，１３又は前記コーナー支柱２の両連結溝４６，４６に側方への抜止め状態で上下スライド係合する係合片５９，５９を形成するとともに、嵌合板５８の下端に外側方に突出した上向き係止爪６０を折曲形成したものである。前記上り防止金具４Ｂは、前記受け金具４Ａと同様に、前記間仕切パネル１の縦フレーム部材８の連結板１４又は前記コーナー支柱２の連結板４７の外面に沿う嵌合板６１の両側に、前記縦フレーム部材８の両連結溝１３，１３又は前記コーナー支柱２の両連結溝４６，４６に側方への抜止め状態で上下スライド係合する係合片６２，６２を形成するとともに、嵌合板６１の上端に外側方へ段状に突出した規制片６３を上向きに折曲形成し、更に該規制片６３の外面に突起６４を突設したものである。図中符号６５は、嵌合板６１と規制片６３の間に設けた段部である。
【００２２】
先ず、図４に示すように、前記受け金具４Ａを、前記コーナー支柱２の連結板４７に嵌合板５８を沿わせ、その両係合片５９，５９を連結溝４６，４６に上端からスライド係合させる。前記前記受け金具４Ａは、アジャスター受け５１の突片５４に前記係合片５９の下端が当接して、それ以上の落下が阻止される。他方、図４に示すように、前記上り防止金具４Ｂを、前記間仕切パネル１の連結板１４に嵌合板６１を沿わせ、その両係合片６２，６２を連結溝１３，１３に上端からスライド係合させる。前記上り防止金具４Ｂは、アジャスター受け３４の突片４１に前記係合片６２の下端が当接して、それ以上の落下が阻止される。
【００２３】
その状態で、前記コーナー支柱２に装着した前記受け金具４Ａの上向き係止爪６０に、他方の間仕切パネル１の連結側を若干持ち上げて縦フレーム部材８の連結板１４の下端を係止する。傾斜状態から水平状態に間仕切パネル１が変位すると、コーナー支柱２と間仕切パネル１の上部の間隔が狭まり、それと同時に前記上り防止金具４Ｂの規制片６３に形成した突起６４が、前記コーナー支柱２の連結板４７の下部に予め形成された凹部６６又は係合孔に係合する。この下部が連結状態になると、前記受け金具４Ａの嵌合板５８の上端に前記上り防止金具４Ｂの段部６５が位置している。
【００２４】
また、前述のように、相対峙する前記コーナー支柱２と縦フレーム部材８の上端間の隙間寸法を狭めると、コーナー支柱２の接合板４８，４８と縦フレーム部材８の接合板１６，１６の外面同士が接合して、前記突条４９と溝条１８が係合し且つ前記溝条５０と突条１７が係合すると同時に、前記上り防止金具４Ｂの規制片６３に設けた突起６４が、コーナー支柱２の連結板４７に設けた凹部６６に係合するのである。尚、前記間仕切パネル１の縦フレーム部材８の連結板１４の下部に前記同様な凹部６６を予め形成し、間仕切パネル１，１同士の連結に供する。間仕切パネル１，１同士の連結もコーナー支柱２との連結と同様であり、一方の間仕切パネル１の縦フレーム部材８に受け金具４Ａを装着し、他方の間仕切パネル１の縦フレーム部材８に上り防止金具４Ｂを装着すれば良い。
【００２５】
下部の連結状態では、図５に示すように、間仕切パネル１とコーナー支柱２が、受け金具４Ａの上向き係止爪６０で離れないようにすることができるとともに、間仕切パネル１の接合板１６，１６とコーナー支柱２の接合板４８，４８の外面同士が当接した状態では、間仕切パネル１に上下摺動自在に装着された上り防止金具４Ｂにおける突起６４がコーナー支柱２の連結板４７に形成した凹部６６に係合しており、しかも、この上り防止金具４Ｂの係合片６２，６２の下端が間仕切パネル１の下端に取付けられたアジャスター受け３４の突片４１，４１に当接するから、この上り防止金具４Ｂを介することにより、コーナー支柱２に対して間仕切パネル１が上向きに移動不能となる。一方、前記受け金具４Ａの係合片５９，５９の下端は、コーナー支柱２の下端に取付けられたアジャスター受け５１の突片５４，５４に当接するとともに、上向き係止爪６０が間仕切パネル１の縦フレーム部材８の連結板１４の下端に係止しているから、この受け金具４Ａを介することにより、間仕切パネル１に対してコーナー支柱２が上向きに移動不能となる。つまり、連結部において間仕切パネル１とコーナー支柱２とは互いに上下方向に移動不能となっている。
【００２６】
次に、図２及び図７に基づいて、上部連結金具５を用いて、前記コーナー支柱２と間仕切パネル１、あるいは間仕切パネル１，１同士の上部を連結する構造を簡単に説明する。前記上部連結金具５は、図７に示すように、断面下向きコ字型の回動レバー６７と、該回動レバー６７の基端寄り部位に設けた枢支軸６８と、該枢支軸６８に回動可能に連結された２本のアーム６９，６９と、この両アーム６９，６９の端部に固定した正面視略矩形状のフランジ７０とからなり、回動レバー６７の基端部には、前記枢支軸６８の中心軸線に対して偏心した形状のカム部７１，７１が形成されている。前記フランジ７０の形状は、前記受け金具４Ａの嵌合板５８と係合片５９，５９を有するものと同じであり、前記間仕切パネル１の縦フレーム部材８の連結溝１３，１３あるいは前記コーナー支柱２の連結溝４６，４６に上下方向からスライド係合するものである。
【００２７】
図示した実施形態は、前記コーナー支柱２と間仕切パネル１の上端同士を連結する場合であって、コーナー支柱２の接合板４８，４８と間仕切パネル１の縦フレーム部材８の接合板１６，１６を相対面させて隣接し、前記端部カバー３を笠木部材９から取外して開口部２３を露出させ、回動レバー６７の自由端側を上向きの状態にしたまま、前記フランジ７０のコーナー支柱２の両連結溝４６，４６に係合させるとともに、アーム６９を縦フレーム部材８の連結用開口２８内に位置させ、次いで、間仕切パネル１における笠木部材９の開口部２３の内部方向に回動レバー６７を下向きに回動させる。この回動レバー６７の長手軸線が、前記フランジ７０の平面とほぼ直交する状態まで回動させると、前記カム部７１，７１が、間仕切パネル１の縦フレーム部材８における連結板４７の裏面側の縦リブ３１，３１の外側部分を、前記コーナー支柱２の方向に押圧することになり、このカム部７１と前記フランジ７０とにより対面するコーナー支柱２と縦フレーム部材８を挟み付けて連結できるのである。
【００２８】
ここで、前記間仕切パネル１の笠木部材９における筒部２０の内部に、姿勢保持手段７２を着脱自在に装着し、この姿勢保持手段７２を介して前記回動レバー６７が不用意に上向き回動しないように構成する。この姿勢保持手段７２の前記上部連結金具５を構成する。具体的には、笠木部材９の底面板２５に穿設した係止孔７３に係脱する係止爪７４を下向きに備えた断面矩形中空状の保持枠体７５と、該保持枠体７５内で付勢ばね７６により前方向に付勢されて、且つ前後動自在に配置されたフック体７７とからなり、保持枠体７５の左右両側面には、上向き開放した案内溝７８，７８を設け、摘み片７９を持って回動レバー６７を下向き回動して笠木部材９の開口部２３から笠木部材９の筒部２０内に押し込んだとき、当該回動レバー６７に固定した横軸状の係合ピン８０が案内溝７８，７８の前面に沿って嵌まり込むように構成する。この場合、フランジ７０（回動レバー６７）が連結すべき相手部材を引き寄せるように作用するのである。
【００２９】
フック体７７には、前記左右両側の案内溝７８，７８の底側に嵌り込んだ係合ピン８０を上方向に抜け不能にする係合爪８１を備え、且つフック体７７と保持枠体７５との間に介挿させた付勢ばね７６により、案内溝７８と係合爪８１とにより係合ピン８０を挟み付けるように付勢する。また、フック体７７の上面に突設した摘み７９は、当該フック体７７の前方移動を規制すると共に、付勢ばね７６の力に抗してフック体７７を後退させると、回動レバー６７における係合ピン８０と係合爪８１との係合が解除されて回動レバー６７を上向きに外せる構成となっている。
【００３０】
そして、前記姿勢保持手段７２と回動レバー６７とにより、コーナー支柱２と間仕切パネル１の上端同士を連結した後、前記間仕切パネル１における笠木部材９の上面の開口部２３は、合成樹脂製の端部カバー３にて覆い、コーナー支柱２の上端を同じく合成樹脂製のポストキャップ体８２にて覆う（図７参照）。間仕切パネル１，１同士の上部の連結も全く同様である。
【００３１】
通常、間仕切パネル１の保管・搬送時には、図２に示すように、一方の端部カバー３に下部連結金具４を保持するとともに、他方の端部カバー３の下方空間部には連結状態とした上部連結金具５を装着する。また、少なくとも上部連結金具５装着した側の縦フレーム部材８のキャップ６を外して何れか一方の端部カバー３に保持することができるようになっている。前記端部カバー３は、図８及び図９に示すように、前記笠木部材９に形成した開口部２３を閉鎖する笠木カバー部８３と前記縦フレーム部材８の連結板１４、接合板１６，１６の上端を覆うエッジ部８４とを有し、笠木カバー部８３の下面両側に沿って脚板８５，８５を下設するとともに、前記エッジ部８４寄りの両側に内外へ弾性変形する係止爪８６，８６を下設し、また笠木カバー部８３の内方側端部には前記笠木部材９の上面板２２の下方に係合する係合段部８７を形成している。一方、図３に示すように、前記笠木部材９の筒部２０の両側壁内面には、上下２条の係止条が突設されており、下方の係止条８７は上方の係止条８８よりも突出高さが大きく、前記端部カバー３の笠木カバー部８３で開口部２３を完全に閉鎖した状態で、下方の係止条８７，８７に前記端部カバー３の両脚板８５，８５を当止するとともに、上方の係止条８８，８８に係止爪８６，８６を係合させて装着する。
【００３２】
そして、前記端部カバー３には、前記笠木カバー部８３の下面８９で、内方側端部寄り位置に、少なくとも一対の断面略Ｌ字形の保持片９０，９０を、先端を対向させて下設するとともに、中央寄り位置にストッパー手段９１を下設している。しかして、前記下部連結金具４を構成する受け金具４Ａと上り防止金具４Ｂとを、上向き係止爪６０と規制片６３が干渉しないように互いに逆向きにして、それぞれの嵌合板５８，６１を接合し、受け金具４Ａの係合片５９と上り防止金具４Ｂの係合片６２を外側へ張り出させた状態で、図１０に示すように、両係合片５９，６２を同時に前記端部カバー３の保持片９０，９０に側方からスライド係合させた後、前記ストッパー手段９１を受け金具４Ａと上り防止金具４Ｂの適所に当止させ、あるいは係合させて戻り止めを行った状態で保持する。本実施形態では、前記保持片９０，９０の左右二対設け、前記ストッパー手段９１として中央寄りに一対の弾性的な当止爪９２，９２を前記両嵌合板５８，６１の端部に当止するように設けている。ここで、前記当止爪９２，９２の先端間の間隔は、前記保持片９０，９０の先端間の間隔よりも僅かに狭く、前記両嵌合板５８，６１の合計厚さよりも僅かに狭く、両嵌合板５８，６１が通過する際には、弾性的に外側へ変位し、通過後に復元して該嵌合板５８，６１の端部を当止するのである。尚、前記端部カバー３の下面８９の端部には、前記受け金具４Ａと上り防止金具４Ｂの係合片５９，６２及び／又は嵌合板５８，６１を当止する当止部９３を形成し、前記上向き係止爪６０の側から当止部９３に当止されるまで、前記保持片９０，９０にスライド係合させると同時に、前記当止爪９２，９２で戻り止めがなされるのである。また、前記受け金具４Ａと上り防止金具４Ｂとを接合した状態で、前記規制片６３の側から前記保持片９０，９０にスライド係合させることも可能である。
【００３３】
図１０（ｂ）に示すように、前記保持片９０，９０で受け金具４Ａと上り防止金具４Ｂの両係合片５９，６２を保持した状態で、前記嵌合板５８と係合片５９との間に形成された段部９４と、前記嵌合板６１と係合片６２との間に形成された段部９５とが、それぞれ保持片９０，９０の内面に接触するとともに、嵌合板５８，６１の側面がそれぞれ保持片９０，９０の先端に接触するように寸法設定されている。また、前記受け金具４Ａと上り防止金具４Ｂの両係合片５９，６２を前記保持片９０，９０で保持した状態では、両係合片５９，６２の先端は端部カバー３の下面８９に接触している。前記端部カバー３に、下部連結金具４、つまり受け金具４Ａと上り防止金具４Ｂを保持した状態では、該金具は何れの方向にも変位が規制されている。
【００３４】
また、本実施形態では、図２、図９及び図１０に示すように、前記縦フレーム部材８から取外したキャップ６を前記端部カバー３の裏面に保持できるようになっている。それには、前記端部カバー３の下面８９で、前記エッジ部８４寄り位置に、左右に前記キャップ６の上下鍔部３０，３０を当止する支持片９６，９６を突設して、両支持片９６，９６間にカバー部２９を収容できるようにするとともに、両支持片９６，９６の中間部で前記キャップ６の両側鍔部３０，３０を弾性的に係止する係止爪９７，９７を突設している。尚、図２に示すように、前記キャップ６を端部カバー３に保持した状態で、前記上部連結金具５を間仕切パネル１に装着したまま、端部カバー３を笠木部材９の開口部２３に装着しても干渉しないようになっている。ここで、前記上部連結金具５が余分になったとき、前記間仕切パネル１の笠木部材９の内部に収容することができなければ、前記ポストキャップ体８２の下面に吊り下げ状態で保持し、前記コーナー支柱２の筒状本体部４４の内部に保管しても良い。
【００３５】
図１１に示したものは、本発明の他の実施形態であり、前記ストッパー手段９１の構造が異なる以外は前記同様であるので、同一構成には同一符号を付して、その説明は省略する。本実施形態のストッパー９１は、前記当止爪９２，９２の代わりに、二対の前記保持片９０，９０の間に係合方向と交差する方向に半円柱状の小さな線リブ９８を突設するとともに、前記受け金具４Ａと上り防止金具４Ｂの両係合片５９，６２の側縁に前記線リブ９８に係合する切欠部９９を設けたものである。本実施形態の場合、前記当止部９３が無くても、前記線リブ９８と切欠部９９の係合により、左右方向の移動が規制されるのである。また、前記切欠部９９の形成位置を両係合片５９，６２の辺縁の中央に設定し、それに対応する位置に前記線リブ９８を設けることにより、前記受け金具４Ａと上り防止金具４Ｂとを接合した状態で、上向き係止爪６０の側からも規制片６３の側からも前記保持片９０，９０にスライド係合させて前記端部カバー３に保持することができる。
【符号の説明】
【００３６】
１  間仕切パネル、          ２  コーナー支柱、
３  端部カバー、            ４Ａ  受け金具、
４Ｂ  戻り防止金具、        ５  上部連結金具、
６  キャップ、              ７  パネル板、
８  縦フレーム部材、        ９  笠木部材、
１０  巾木部材、            １１  筒部、
１２  係合溝、              １３  連結溝、
１４  連結板、              １５  リブ、
１６  接合板、              １７  突条、
１８  溝条、                １９  係止片、
２０  筒部、                ２１  係合溝、
２２  上面板、              ２３  開口部、
２４  段部、                ２５  底面板、
２６  通孔、                ２７  ネジ、
２８  連結用開口、          ２９  カバー部、
３０  鍔部、                ３１  縦リブ、
３２  凸部、                ３３  切欠部、
３４  アジャスター受け、    ３５  アジャスターボルト、
３６  下板、                ３７  基板、
３８  スリット孔、          ３９  爪片、
４０  当止片、              ４１  突片、
４２  通孔、                ４３  ネジ、
４４  筒状本体部、          ４５  係合部、
４６  連結溝、              ４７  連結板、
４８  接合板、              ４９  突条、
５０  溝条、                ５１  アジャスター受け、
５２  アジャスターボルト、  ５３  基板、
５３  基板、                ５４  突片、
５５  通孔、                ５６  ネジ、
５７  リブ、                ５８  嵌合板、
５９  係合片、              ６０  係止爪、
６１  嵌合板、              ６２  係合片、
６３  規制片、              ６４  突起、
６５  段部、                ６６  凹部、
６７  回動レバー、          ６８  枢支軸、
６９  アーム、              ７０  フランジ、
７１  カム部、              ７２  姿勢保持手段、
７３  係止孔、              ７４  係止爪、
７５  保持枠体、            ７６  付勢ばね、
７７  フック体、            ７８  案内溝、
７９  摘み片、              ８０  係合ピン、
８１  係合爪、              ８２  ポストキャップ体、
８３  笠木カバー部、        ８４  エッジ部、
８５  脚板、                ８６  係止爪、
８７  係合段部、            ８８  係止条、
８９  下面、                ９０  保持片、
９１  ストッパー手段、      ９２  当止爪、
９３  当止部、              ９４  段部、
９５  段部、                ９６  支持片、
９７  係止爪、              ９８  線リブ、
９９  切欠部。
【図１】
0005684528.tif 000002
【図２】
0005684528.tif 000003
【図３】
0005684528.tif 000004
【図４】
0005684528.tif 000005
【図５】
0005684528.tif 000006
【図６】
0005684528.tif 000007
【図７】
0005684528.tif 000008
【図８】
0005684528.tif 000009
【図９】
0005684528.tif 000010
【図１０】
0005684528.tif 000011
【図１１】
0005684528.tif 000012